(57)【要約】【課題】ディスプレイなどを倒れたり不安定になったりしないように支持するためのシステムおよびその方法を提供することを目的とする。【解決手段】  本発明にかかる第１のシステムは、シャーシと、  シャーシに結合された曲線トラックと、シャーシに取り付けられたベースと、ベースに結合され、前記曲線トラックに接触するエクステンションとを有する。本発明にかかる方法は、ベースに取り付けられたシャーシの角度を制御する方法であって、ベースに取り付けられたエクステンションでベースに力を加えることと、前記エクステンションにより加えられた力を、シャーシ上の曲線トラックで受けることとを含む。本発明にかかる第２のシステムは、シャーシに取り付けられた曲線トラックと、前記シャーシが取り付けられ、前記曲線トラックに接して、前記シャーシの重心が、限界を越えることを防ぐエクステンションを含むベースとを有する。【選択図】図１ａ
2013532397.tif 000002
【特許請求の範囲】
【請求項１】
シャーシと、
前記シャーシに結合された曲線トラックと、
前記シャーシに取り付けられたベースと、
前記ベースに結合され、前記曲線トラックに接触するエクステンションと
を有するシステム。
【請求項２】
前記シャーシは、前記ベースに対して相対的に第１の方向または第２の方向に動かされ得る
請求項１に記載のシステム。
【請求項３】
前記エクステンションは、前記シャーシが前記第１の方向から前記第２の方向へ動かされたときに、前記曲線トラックに沿って動くことができる
請求項１に記載のシステム。
【請求項４】
前記エクステンションは、前記ベースに対して固定の角度とされる
請求項１に記載のシステム。
【請求項５】
前記エクステンションは、前記ベースに対して可変の角度とされる
請求項１に記載のシステム。
【請求項６】
前記エクステンションを前記曲線トラックに対してバイアスをかける機構
をさらに有する請求項５に記載のシステム。
【請求項７】
前記エクステンションを、前記曲線トラックに接触させたままに保持するカップラー
をさらに有する請求項１に記載のシステム。
【請求項８】
前記エクステンションは、
前記曲線トラックに接触するホイール
をさらに有する
請求項１に記載のシステム。
【請求項９】
前記曲線トラックは、前記シャーシの重心が限界を越える前記シャーシに対して相対的な方向を阻む
請求項１に記載のシステム。
【請求項１０】
ベースに取り付けられたシャーシの角度を制御する方法であって、
ベースに取り付けられたエクステンションでベースに力を加えることと、
前記エクステンションにより加えられた力を、シャーシ上の曲線トラックで受けることと
を含む方法。
【請求項１１】
前記エクステンションを、第１の方向から第２の方向へ動かすこと
をさらに含む請求項１０に記載の方法。
【請求項１２】
前記エクステンションに前記曲線トラックに対するバイアスをかけること
をさらに含む請求項１０に記載の方法。
【請求項１３】
シャーシに取り付けられた曲線トラックと、
前記シャーシが取り付けられ、前記曲線トラックに接して、前記シャーシの重心が、限界を越えることを防ぐエクステンションを含むベースと
を有するシステム。
【請求項１４】
前記限界は、シャーシのある方向において、前記ベースが前記シャーシの重力に耐えられなくなる点である
請求項１３に記載のシステム。
【請求項１５】
前記エクステンションは、
ホイール
を含む
請求項１３に記載のシステム。
【発明の詳細な説明】
【技術分野】
【０００１】
本発明は、ディスプレイなどのシステムおよびその方法に関する。
【背景技術】
【０００２】
ディスプレイは、ディスプレイに取り付けられたベース(base)によって支持されもよい。ベースは、固定されたベースでもよく、このときには、ディスプレイは、ベースに対して相対的に予め決められた高さとなる、ベースはまた、固定された傾きであってよく、このときには、ユーザからディスプレイの上端と下端への距離を調節できない。ベースはまた、調節可能なベースであってよく、このときには、ディスプレイの高さはベースに対して相対的に変更できる。あるベースは、ディスプレイの上端が、下端よりもユーザから近くなるように、あるいは、遠くなるように傾けられてもよい。ベースは、脚(foot)と、脚に取り付けられたライザー(riser)を持ってもよい。ライザーはディスプレイに取り付けられることができ、加工物(work)の表面に置かれてよい。脚は、ディスプレイが、ユーザ側に向かって、あるいは、ユーザから遠ざかるように倒れることを防ぎ得る。
【発明の概要】
【発明が解決しようとする課題】
【０００３】
倒れたり不安定になったりしないシステムおよびその方法を提供することを目的とする。  
【課題を解決するための手段】
【０００４】
上記目的を達成するために、本発明にかかる第１のシステムは、シャーシと、  前記シャーシに結合された曲線トラックと、前記シャーシに取り付けられたベースと、前記ベースに結合され、前記曲線トラックに接触するエクステンションとを有する。
【０００５】
また、本発明にかかる方法は、ベースに取り付けられたシャーシの角度を制御する方法であって、ベースに取り付けられたエクステンションでベースに力を加えることと、前記エクステンションにより加えられた力を、シャーシ上の曲線トラックで受けることとを含む。
【０００６】
また、本発明にかかる第２のシステムは、シャーシに取り付けられた曲線トラックと、前記シャーシが取り付けられ、前記曲線トラックに接して、前記シャーシの重心が、限界を越えることを防ぐエクステンションを含むベースとを有する。
【発明の効果】
【０００７】
本発明によれば、倒れたり不安定になったりしないシステムが提供される。
【図面の簡単な説明】
【０００８】
【図１ａ】例示的な実施形態に従った第１の方向のシステムの側面図である。
【図１ｂ】例示的な実施形態に従った第２の方向のシステムの側面図である。
【図２】本発明の例示的な実施形態に従ったシステムの斜視図である。
【図３】本発明の例示的な実施形態に従ったシステムの部分図である。
【図４】本発明の例示的な実施形態に従ったシステムの部分図である。
【図５】本発明のシャーシの角度を調整する方法の例によるフロー図である。
【発明を実施するための形態】
【０００９】
ディスプレイといったデバイスは、ベースに取り付けられてよい。ベースは、脚と脚からのライザーを含んでもよい。ベースは、シャーシの支持であって、シャーシへの重力の強さ(force of gravity)に対抗する。ベースは、例えば机やテーブルといった加工物の表面に置かれてよい。シャーシは、ディスプレイであることができ、あるいは、ディスプレイといったデバイスのための取り付け位置でよい。
【００１０】
もし、ディスプレイが垂直にも、水平にも、垂直と水平の間の方向であるなら、異なったソフトウェアアプリケーションは、さらに効果的に用いられてもよい。垂直方向において、ディスプレイの表面は、重力の強さに対して平行であり、水平方向において、ディスプレイの表面は、重力の強さに対して直角である。シャーシが傾けられているときに、システムが不安定になって倒れることを止めるために、ベースは可能な限り重心(center of gravity)に近くに取り付けられ、あるいは、シャーシの傾斜の範囲は、シャーシがベースによってまだ支持されている範囲に限られる。もし、ベースが、シャーシの重心近くのシャーシに連結されていて、シャーシが垂直な位置から水平な位置に傾けられたら、そのとき、ディスプレイは高すぎて不安定になるかもしれない。例えば、もし、ベースがシャーに加工物の表面から２５ｃｍの点で取り付けられ、シャーシが水平な位置に達するまで傾けられたら、シャーシの表面は、加工品の表面から２５ｃｍになるであろう。
【００１１】
デバイスを、水平方向に使用できるようにするためには、ベースがシャーシの上に向けられて短くされうる加工物の表面からの距離は、水平方向にである。１つの実施形態においては、ベースは脚およびライザーを含む。ライザーは、脚からのエクステンション(extension)であり得て、脚とライザーとの間の角度は調節され得る。ライザーは、ベースとシャーシとを結合するファスナー(fastener)を含み得る。シャーシの高さは脚とライザーとの間の高さで決まってもよく、脚とライザーとの間の高さは、脚とライザーとの間の角度が０°に近づいてファスナーがベースに近づくように、ライザーを脚に対して傾けることにより変更してもよい。もし、シャーシがディスプレイを含めば、ディスプレイの上端は、ユーザがライザーを脚に近づくように傾けたときに、ユーザから遠ざかるように動かされてよい。もし、ライザーがユーザから遠ざかるように傾けられたら、その結果、シャーシ上の可変な取り付けポイント(mounting point)が、ベースをユーザの方向に動かすことなしに、シャーシにユーザの方向に動くことを許し得る。もし、ライザーが傾けられ、可変な取り付けポイントが調節されれば、シャーシの下端は、仮にシャーシが垂直な位置にあったときよりも、ユーザに近くなってよい。
【００１２】
デバイスを支えるシャーシ上の可変な取り付けポイントを用いることは、シャーシの重力の強さの中心を、ベースに対して動かすことになり、シャーシ上の重量の配分に変更を起こすことになる。可変な取り付けポイントは、シャーシの重心の限界(threshold)をこえるように動かし、重力の強さがベースによって対抗できなくなったときに、システムを倒させ得る。ベースのサイズを増加させず、シャーシを、シャーシの重心が中に入る全ての方向に対して支持できるようにすることは、材料の節約と、小さく軽いパッケージング、作業場所およびより小さい脚による出荷のコストの節約とにより有利である。可変な取り付けポイントは、シャーシを、ベースのサイズおよび重量がシャーシ上の重力の強さに対抗できない方向を含む多くの異なる方向に置くことを許し得る。曲げられたトラック(track)とエクステンションは、シャーシが、そうでなければ可変な取り付けポイントゆえに達成できる方向に向かうことを許さなくてよい。ベースのサイズと重量は、曲げられたトラックとエクステンションとでシャーシが達成し得る方向に、ベースがシャーシ上の重力の強さに対抗できるように決められ得る。
【００１３】
１つの実施形態においては、システムは、シャーシと、シャーシに結合された曲げられたトラックとを含む。ベースは、シャーシと、ベースに結合されうるエクステンションに結合される。エクステンションは、曲げられたトラックに接触するように(in contact with)にされ得る。
【００１４】
図を参照すると、図１ａは、例示的な実施形態に従った第１の方向のシステムの側面図である。システム１００ａは、第１の方向１１０ａのシャーシ１１０を含み得る。第１の方向１１０ａは、例えば、垂直方向でよい。シャーシ１１０は、ディスプレイまたは取り付けポイントでよい。もし、シャーシがデバイスの取り付けポイントならば、シャーシはビデオ・エレクトロニクス・スタンダーズ・アソシエーション(Video Electronics Standards Association (VESA))取り付けブラケットといったベースにディプレイを結合するための標準的な型で構成されてよい。例えば、ＶＥＳＡ標準は、シャーシ上に、ＶＥＳＡマウントをディスプレイに取り付けるためのねじといったファスナーのための４インチの四角の型の４つの開口部を有してよい。ベースは、シャーシの方向が、ユーザの応用のために調整されることを許してよい。この調整は、ベースに取り付けられたシャーシが、例えば傾けられ、上げられ、下げられ、あるいは、回転させられることを許し得る。
【００１５】
曲線トラック(curved track)１２０は、シャーシ１１０に結合され得る。ベースは、曲線トラック１２０に接触する第１のエクステンション１１５を含み得る。ベースは、脚１０５およびライザー１２５を含み得る。曲線トラックは、シャーシと一体であってよく、あるいは、シャーシに取り付けられた別個の部品であってよい。曲線トラックは、シャーシから、エクステンションに結合する曲線トラックの表面に向けて、シャーシに対して直角に延びてよい。エクステンションに結合する曲線トラックの表面とシャーシの間の距離は、トラックの長さに沿って変化してよい。例えば、曲線トラックのある部分は、シャーシから１ｃｍであってよく、曲線トラックの他の部分は、シャーシから５ｃｍであってよい。エクステンションは、ベースから延びて曲線トラックに結合して曲線トラックに力を加えるベースの一部であってよい。
【００１６】
シャーシ１１０は、重心を持ち、シャーシ１１０は、ベースに対して相対的に再設定され得る。ライザー１２５は、シャーシ１１０上の可変の取り付けポイント１６０に取り付けられ得る。可変の取り付けポイント１６０は、シャーシを、Ａ方向およびＢ方向に、ライザー１２５をＡ方向およびＢ方向に動かすことなく動けるようにし得る。可変の取り付けポイント１６０は、ファスナー１５５でライザー１２５に取り付けられる。第１の方向１１０ａにおいて、ファスナーは、可変の取り付けポイント１６０上の最初の位置１６５にあり得る。可変の取り付けポイントは、例えば、トラックまたはレール(rail)であってよく、もし、シャーシ１１０がＡまたはＢ方向に動かされるならば、ファスナーは、トラックまたはレールに沿ってスライドしてよい。
【００１７】
ライザー１２５はまた、Ｃ方向およびＤ方向に動いてよい。もし、シャーシ１１０が第１の方向１１０ａにあるならば、その結果、シャーシ１１０がＡ方向またはＢ方向に動かされて、シャーシの重心が、ベースがもはや重力の強さＧに耐える力を提供できない限界を超えて動いたときに、脚１０５への重心が充分に変化しないかもしれず、例えば、重心が、ベースを動かすことなしに、ユーザの方向へ、あるいは、ユーザから遠ざかる方向に動かされて、重力の強さが、システムを倒れさせる。
【００１８】
図１ｂは、本発明の例示的な実施形態に従ったシステムの第２の方向の側面図である。
システム１００ｂは、シャーシ１１０を、第２の方向１１０ｂに含み得る。システム１００ｂは、例えば、水平方向である。第２の方向１１０ｂにおいては、第１のエクステンション１１５は、曲線トラック１２０に連結された第１のエクステンション１１５とは異なる曲線トラック１２０上の位置で、第１の方向１１０ａに曲線トラック１２０と接触する。第２の方向においては、ファスナー１５５は、取り付けポイント１６０上の第２の位置１７０にある。
【００１９】
もし、シャーシが、ベースに対して相対的に、最初の方向１１０ａから第２の方向１１０ｂに方向を変えられたら、ディスプレイが第１の方向１１０ａと第２の方向１１０ｂとの間で方向を変えられている間、第１のエクステンション１１５は、曲線トラックに沿って動かされ、曲線トラックと接触したままとなり得る。
【００２０】
曲線トラック１２０の曲線および第１のエクステンション１１５により曲線トラック１２０に加えられる力は、シャーシ１１０の重心が、システムを倒させる方向に向けられないようにするかもしれない。例えば、第１のエクステンションは、ライザー１２５およびシャーシ１１０が、Ｃ方向に動くことを、シャーシ１１０が最初にＡ方向に動くまで防ぐかもしれない。もし、ライザー１２５およびシャーシ１１０が、シャーシ１１０をＡ方向に動かすことなくＣ方向に動けるならば、シャーシの重心は、限界の先に達しうる。限界は、例えば１０５ａおよび１０５ｂであり得て、もし、シャーシの重心がこれらの限界のいずれかを通れば、システム１００は倒れる。限界は可変で、シャーシ１１０、ライザー１２５および脚１０５の重量、および、他の変数に沿った脚の長さによって定まる。重心の動きを少なくすることは、シャーシが向かされうる全ての方向に渡ってシャーシを支持する限り、ベースを軽く、短く、あるいは軽く短くすることを許し、重力の強さがシステムを倒させることを防ぐ。
【００２１】
図２は、本発明の例示的な実施形態に従ったシステムの斜視図である。
ある１つの実施例においては、第１のエクステンション１１５は、脚１０５に対して固定の角度である。他の実施例においては、エクステンションは、ベースに対して可変の角度であり、Ｅ方向に動く。第１のエクステンション１１５のＥ方向の動きは、ある方向に前方または後方へ傾けるといったシャーシのある調節機能を許し得る。例えば、シャーシ１１０が第１の方向１１０ａにあり、その結果、シャーシが、シャーシ１１０の上端がシャーシ１１０の下端よりもユーザに近くなるように前方に傾けられ得、あるいは、シャーシ１１０の下端がシャーシ１１０の上端よりもユーザに近くなるように、後方に傾けられ得る。もし、第１のエクステンション１１５が固定された位置にあったとしたら、第１のエクステンション１１５および曲線トラック１２０は、システムが前方または後方に倒れることを防ぐことができるかもしれない。
【００２２】
ある１つの実施例においては、ライザー１２５は、パス(path)１３５を追うためにギア(gear)１３０を含んでよい。もし、２つのギアが用いられ、これらのギアが同じ速度で回るように結合されているならば、このことは、シャーシの一方が、シャーシの他の一方のよりも、ベースの脚に近づいて、ライザー１２５に対して相対的に方向を変えられ得なくなる斜めの姿勢にシャーシが入る機会を減らすかもしれない。
【００２３】
図３は、本発明の例示的な実施形態に従ったシステムの部分図である。システムは、バイアス機構(biasing mechanism)３４５で脚１０５に取り付けられた第１のエクステンション１１５を含み得る。このバイアス機構３４５は、ベースの脚１０５に取り付けられ得て、第１のエクステンション１１５の一方の端に結合され得る。バイアス機構３４５は、ねじればね(torsion spring)あるいは他の形式のばねを含んでよい。バイアス機構３４５は、第１のエクステンション１１５が、脚１０５について傾けられているときに、第１のエクステンション１１５に力を加えてよい。第１のエクステンション１１５に加えられたバイアスは、シャーシ１１０が前方または後方に傾けられたときに、第１のエクステンション１１５が、シャーシ１１０に取り付けられた曲線トラックに常に接したままとすることを許し得る。シャーシ１１０を傾けることは、第１のエクステンション１１５によって許される移動量によって制限され得る。例えば、もし、エクステンションの移動量がスロット(slot)３５０の長さにより制限されれば、その結果、シャーシ１１０を傾けることは、スロット３５０の長さによって制限されるかもしれない。
【００２４】
ある１つの実施例においては、第１のエクステンション１１５は、ホイール(wheel)３２５を含んでよい。ホイール３２５は、シャーシに取り付けられた曲線トラック１２０に接してよい。ホイール３２５は、脚１０５と曲線トラックの間の摩擦量を減らすかもしれない。その他の実施例においては、ポリテトラフルオロエチレンコーティング(polytetrafluoroethylene coating)といった他の付属物が、脚１０５と曲線トラック１２０の間の摩擦を減らすために脚１０５に付加されてよい。
【００２５】
図４は、本発明の例示的な実施形態に従ったシステムの部分図である。このシステムは、曲線トラック１２０に沿ったスロット４３５を伴った曲線トラック１２０を含み得る。スロット４３５は、スロット４３５に取り付けられるカップラー(coupler)４３０のタイプによっては、曲線トラック１２０の異なった表面上にあり得る。例えば、もし、カップラー４３０が、第１のエクステンション１１５の第１の側にあって、その結果、スロット４３５が曲線トラック１２０の同じ側にあってよい。ある１つの実施形態においては、曲線トラック１２０に第１のエクステンション１１５を結合することは、バイアス機構の代わりに用いられてよく、あるいは、もし、シャーシ１１０が前方または後方に傾けられているときに、第１のエクステンション１１５が曲線トラック１２０と接触し続けるように、バイアス機構と同時に用いられてよい。
【００２６】
第１のエクステンション１１５が、カップラー４３０によって、曲線トラック１２０に結合されているなら、前方および後方へのシャーシの傾けは、スロット３５０の長さによって制限される。スロット３５０は、第１のエクステンション１１５が、例えば、Ｅ方向に１５°の円弧を通過する動きの範囲を持つことを許してよい。カップラー４３０は、シャーシが、もし、シャーシおよび第１のエクステンション１１５がカップラー４３０によって取り付けられているならば、スロット３５０における第１のエクステンション１１５の動きによって許されるよりも多く傾くことを妨げる。第１のエクステンション１１５によって許されるベースの脚１０５に対する曲線トラック１２０の相対的な傾きの量は、シャーシ１１０がベースに対して相対的に方向が変えられるにつれて、第１のエクステンション１１５がシャーシの曲線トラック１２０の異なる部分に結合されることにつれて異なるかもしれない。
【００２７】
図５は、本発明のシャーシ(chassis)の角度を調整する方法の例によるフロー図である。この方法は、５０５で、ベースに取り付けられた第１のエクステンションで力を加えることにより、シャーシの角度を制御することを含む。５１０で、シャーシは、第１のエクステンションに接触する曲線トラックを含み得る。エクステンションによって加えられる力は、シャーシ上の曲線トラックによって受けられる。
【００２８】
曲線トラックは、シャーシが、シャーシの重心が、ベースがシャーシを不安定にしたり倒れさせたりせずにシャーシを支持できる限界を超えさせないように、ある方向に、ベースに対して相対的に動くことを防ぎ得る。システムは、もし、シャーシの重心が、前方に動いて限界を超えたとき、あるいは、後方に動いて限界を超えたときに、前方または後方に倒れ、従って、曲線トラックおよびエクステンションは、シャーシが限界を超えて動くことを防ぐ。
【００２９】
シャーシが前方または後方に傾けられるために、第１のエクステンションは、ベースに対して多数の角度に動かされ得る。ある１つの実施形態においては、第１のエクステンション１１５には、第１のエクステンションが、曲線トラックにシャーシの異なった方向で接するように、曲線トラックに対するバイアスがかけられる。
【００３０】
前記載においては、この発明の理解を提供するために、多くの詳細が示された。しかしながら、当業者により、この発明がこれらの詳細なしに実施できることが理解されるであろう。この発明は、限られた数の実施例に関して開示されてきたが、当業者は、それらからの多数の変更と変形を好むであろう。付加された請求項は、この発明の本当の精神および範囲に含まれるこのような変更および変形を網羅することを意図されている。
【符号の説明】
【００３１】
１００ａ・・・システム，１０５・・・脚，１１０・・シャーシ，１１０ａ・・・第１の方向，１１０ｂ・・・第２の方向，１１５・・・第１のエクステンション，１２０・・・曲線状トラック，１３０・・・ギア、１５５・・・ファスナー，１６０・・・取り付けポイント，１６５・・・最初の位置，１７０・・・第２の位置，３２５・・・ホイール，３４５・・・バイアス機構，３５０，４３５・・・スロット，４３０・・・カップラー，
【図１ａ】
2013532397.tif 000003
【図１ｂ】
2013532397.tif 000004
【図２】
2013532397.tif 000005
【図３】
2013532397.tif 000006
【図４】
2013532397.tif 000007
【図５】
2013532397.tif 000008
【国際調査報告】
2013532397.tif 000009
2013532397.tif 000010